(57)【要約】【課題】物品フックの組み合わせ構造の提供。【解決手段】本考案の構造は、角座と、連接素子、置放座、からなり、置放座は左右回転、或いは、揺動素子により回転し、且つ、置放座は、パネルにより液晶パネル、ディスプレイ等の物品素子と接続され、連接素子は、一対の板と筒を有し、連接素子は、串接座により、滑動素子、或いは、液圧素子を経て、更に、揺動素子を経て、置放座と接続され、角座と連接素子の間に、液圧素子を設置し、連接素子の一対の板間は、放射線状に数個の串接座を設置し、全体が傘状である。【選択図】    図１
0003128010.tif 000002
【実用新案登録請求の範囲】
【請求項１】
物品フックの組み合わせ構造であって、
第一縦板と第一横板を有し、前記第一縦板上に少なくとも一つの壁接孔を有し、鎖接素子により、前記壁接孔を経て、固定素子上に定位し、前記第一横板上に少なくとも一つの連接孔を有する上角座と、
本体からなり、前記本体は縦貫穿孔と突部を有し、前記縦貫穿孔は前記鎖接素子により前記上角座の前記第一横板の連接孔と接続する串接座と、
パネルを有し、前記パネルと物品素子間は前記鎖接素子により接続され、前記パネルは更に前記串接座の突部と接合する置放座と、
からなることを特徴とする物品フックの組み合わせ構造。
【請求項２】
前記鎖接素子は、ねじと対応する螺孔、或いは、ナットの組み合わせであることを特徴とする請求項１に記載の物品フックの組み合わせ構造。
【請求項３】
更に、下角座を有し、前記下角座は、第二縦板と第二横板を有し、前記第二縦板上に数個の第二組接孔を有し、前記上角座の第一縦板上は、対応する数個の第一組接孔を有し、鎖接素子により、対応する前記第二組接孔と前記第一組接孔を接合することを特徴とする請求項１に記載の物品フックの組み合わせ構造。
【請求項４】
前記下角座の第二横板は螺孔を有し、更に、支承素子を有し、前記支承素子は、頂支承板と調整棒を有し、前記頂支承板中間は、前記調整棒頂端に嵌接され、前記調整棒の周辺は外螺紋で、前記外螺紋と前記螺孔は接合することを特徴とする請求項３に記載の物品フックの組み合わせ構造。
【請求項５】
前記調整棒下端は、更に、握持棒を枢接することを特徴とする請求項４に記載の物品フックの組み合わせ構造。
【請求項６】
前記串接座は、横貫穿孔、或いは、角状槽孔、或いは、線孔を有することを特徴とする請求項１に記載の物品フックの組み合わせ構造。
【請求項７】
更に、連接素子を有し、少なくとも一つの鎖接素子により、前記連接素子を、前記上角座の連接孔に接続し、前記連接素子は、一対の板と中間筒を有し、前記対板は、それぞれ、少なくとも一つの連接孔と中心孔を有し、両板の中心孔間は、中間筒を固接し、両板の連接孔間は、鎖接素子により、前記串接座の縦貫穿孔に固定されることを特徴とする請求項１に記載の物品フックの組み合わせ構造。
【請求項８】
更に、もう一つの連接素子を有し、前記連接素子の下方に設置され、前記上角座の上方は、少なくとも一つの鎖接素子により両連接素子を連接し、もう一つの連接素子は、一対の板と中間筒を有し、前記対板は、少なくとも一つの連接孔と中心孔を有し、両板の中心孔間は、中間筒を固接し、両板の連接孔間は、鎖接素子により、前記串接座の縦貫穿孔に固定されることを特徴とする請求項７に記載の物品フックの組み合わせ構造。
【請求項９】
前記連接素子の下板は、少なくとも一つの線孔を有し、前記線孔は導線を穿過することを特徴とする請求項７、或いは、８に記載の物品フックの組み合わせ構造。
【請求項１０】
前記連接素子は、数個の鎖接素子により、それぞれ、対応する串接座の縦貫穿孔を固定することを特徴とする請求項７、或いは、８に記載の物品フックの組み合わせ構造。
【請求項１１】
更に、揺動素子を有し、前記串接座と前記置放座間に設置され、前記揺動素子は、接合スリーブ、スプリング、球棒、を有し、前記接合スリーブは、内突縁と内螺紋を有し、前記串接座の突部は外螺紋を有し、前記接合スリーブの内螺紋と前記外螺紋は接合し、鎖接する前に、前記球棒を置入し、前記球棒の球部を前記接合スリーブ内に位置させ、その後、前記スプリングを置入れ、前記スプリングに前記突部を抵止させ、前記球棒の球部は、内突縁間の開口から突出し、且つ、前記球棒は、長穿孔を有し、パネル中に中心孔を有し、鎖接素子により、前記長穿孔と前記置放座のパネルの中心孔を接合することを特徴とする請求項１、３、４、５、６、７、或いは、８に記載の物品フックの組み合わせ構造。
【請求項１２】
前記接合スリーブ内に、更に、中間固定ブロックを有し、前記中間固定ブロックは外螺紋を有し、前記外螺紋と前記接合スリーブの内螺紋は接合し、同時に、前記中間固定ブロックは前記スプリングを抵止することを特徴とする請求項１１に記載の物品フックの組み合わせ構造。
【請求項１３】
更に、転角ジョイントを有し、前記串接座と前記揺動素子間に設置され、前記転角ジョイント一端に、内螺紋を有して、前記串接座の外螺紋と接続し、前記転角ジョイントのもう一端は、外螺紋を有して、前記接合スリーブの内螺紋と接続し、この時、前記転角ジョイントは前記スプリングを抵止することを特徴とする請求項１１に記載の物品フックの組み合わせ構造。
【請求項１４】
前記置放座は、更に、揺動素子を有し、前記球棒と前記パネル間に設置され、コの字型を呈し、前記揺動素子の両端は、それぞれ、側孔を有し、中間に中孔を有し、鎖接素子により、前記球棒の短穿孔と前記揺動素子の両端側孔を接合し、また、鎖接素子により、前記揺動素子の中孔と前記置放座のパネルを接続することを特徴とする請求項１１に記載の物品フックの組み合わせ構造。
【請求項１５】
更に、滑動素子を有し、前記串接座と前記置放座間に設置され、前記滑動素子の一端は、前記串接座と接続し、前記滑動素子のもう一端と前記置放座のパネル間は、鎖接素子により接続され、且つ、前記滑動素子は伸縮可能であることを特徴とする請求項１、３、４、５、７、或いは、８に記載の物品フックの組み合わせ構造。
【請求項１６】
更に、滑動素子を有し、前記串接座と前記置放座間に設置され、前記滑動素子は、外管、外塞素子、内管、内塞素子、を有し、前記外管の一端は内螺紋を有し、前記串接座の外螺紋に鎖接され、前記外管内に内管を有し、前記外管のもう一端に外塞素子を有し、前記内管の一端は内螺紋を有し、内管素子は外螺紋を有し、前記外螺紋と前記内螺紋は螺接し、前記内管のもう一端と前記置放座のパネル間は、鎖接素子により接続されることを特徴とする請求項１、３、４、５、７、或いは、８に記載の物品フックの組み合わせ構造。
【請求項１７】
更に、揺動素子を有し、前記滑動素子と前記置放座間に設置され、前記揺動素子は、接合スリーブ、スプリング、球棒、を有し、前記接合スリーブは、内突縁と内螺紋を有し、鎖接する前に、前記球棒を置入し、前記球棒の球部を前記接合スリーブ内に位置させ、その後、前記スプリングを置入れ、前記スプリングに前記突部を抵止させ、前記球棒の球部は、内突縁間の開口から突出し、且つ、前記球棒は、長穿孔を有し、鎖接素子により、前記長穿孔を穿過して、前記置放座のパネルと接合し、前記内管のもう一端は、外螺紋を有し、前記内管の外螺紋と前記接合スリーブの内螺紋は接合することを特徴とする請求項１６に記載の物品フックの組み合わせ構造。
【請求項１８】
前記置放座は、更に、揺動素子を有し、前記球棒と前記パネル間に設置され、コの字型を呈し、前記揺動素子の両端は、それぞれ、側孔を有し、中間に中孔を有し、且つ、前記球棒は、短穿孔を有し、鎖接素子により、前記球棒の短穿孔と前記揺動素子の両端側孔を接合し、また、鎖接素子により、前記揺動素子の中孔と前記置放座のパネルを接続することを特徴とする請求項１７に記載の物品フックの組み合わせ構造。
【請求項１９】
前記串接座は、横貫穿孔を有し、前記横貫穿孔と前記球棒の長穿孔、及び、内管内は相通して、導線を穿過することを特徴とする請求項１８に記載の物品フックの組み合わせ構造。
【請求項２０】
更に、転角ジョイントを有し、前記滑動素子と前記揺動素子間に設置され、前記転角ジョイント内端に、内螺紋を有して、前記内管の外螺紋と接続し、前記転角ジョイントの外端は、外螺紋を有して、前記接合スリーブの内螺紋と接続し、この時、前記転角ジョイントは前記スプリングを抵止することを特徴とする請求項１７に記載の物品フックの組み合わせ構造。
【請求項２１】
前記滑動素子は、更に、第二内管を有し、前記内管内に設置され、前記内管の外端と前記第二内管は第二外塞素子を接続し、前記第二外塞素子は外突縁により内管端面に接続され、前記第二内管の一端は内螺紋を有し、前記第二内管のもう一端は外螺紋を有し、前記第二内塞素子の外螺紋は前記第二内管の内螺紋に接合し、前記第二内管の外螺紋と前記接合スリーブの内螺紋を接合することを特徴とする請求項１６に記載の物品フックの組み合わせ構造。
【請求項２２】
更に、液圧素子を有し、前記串接座と前記置放座間に設置され、前記液圧素子の一端と前記置放座は接続し、前記液圧素子のもう一端は、鎖接素子により前記置放座のパネルと接続し、且つ、前記液圧素子は、伸縮可能であることを特徴とする請求項１、３、４、５、６、或いは、８に記載の物品フックの組み合わせ構造。
【請求項２３】
更に、液圧素子を有し、前記串接座と前記置放座間に設置され、底盤、外スリーブ、底塞素子、シリンダ、塞スリーブと揺動素子の接合スリーブ、からなり、前記底盤は、数個の周辺孔と中心孔を有し、前記外スリーブは一端に内螺紋を有し、前記串接座の突部は外螺紋を有し、前記内螺紋と前記外螺紋は接続し、且つ、前記外スリーブの内螺紋と前記底盤の外螺紋は接合し、前記外スリーブの底部は前記底塞素子を塞入し、前記底塞素子は頂面に頂槽と中心が貫通する貫通孔を有し、前記貫通孔と前記中心孔は対応し、シリンダは、外シリンダ体、塞棒、圧動素子、ピストン、塞棒カバー、リング、封口塞、エア室、膜片、を有し、全ての素子は大部分が前記外シリンダ体内に位置し、前記外シリンダ体内に、ピストンを有し、前記ピストンは塞棒に連接され、前記塞棒外は塞棒カバーを設置し、前記塞棒は前記底塞素子の貫通孔と前記底盤の中心孔を穿過した後、前記リングにより、塞棒端に設置された環凹槽を係合し、前記塞スリーブ下端は前記底塞素子の頂槽を抵止し、前記外シリンダ体の開口箇所に、封口塞を設け、塞棒カバーを穿出し、前記外シリンダ体のもう一端外表は、外螺紋を設け、前記外シリンダ体のもう一端面は圧動素子を有し、前記封口塞により空気漏れを防止し、前記圧動素子内方の外シリンダ体にエア室を設置し、前記エア室は圧縮空気を充填し、前記圧動素子は、連棒により、前記エア室を穿過し、前記連棒の外端は、膜片を連接し、前記膜片により前記エア室を封蓋し、前記圧動素子の移動で、前記膜片が前記エア室の穿孔を離れ、気体が前記外シリンダを移動させ、前記接合スリーブは内螺紋を有し、前記外シリンダの外螺紋と前記接合スリーブの内螺紋は接合し、前記接合スリーブのもう一端は、鎖接素子により、前記置放座のパネルと接続することを特徴とする請求項１、３、４、５、６、或いは、８に記載の物品フックの組み合わせ構造。
【請求項２４】
更に、揺動素子を有し、前記液圧素子と前記置放座間に設置され、前記揺動素子は、接合スリーブ、スプリング、球棒、を有し、前記接合スリーブは、内突縁と内螺紋を有し、鎖接する前に、前記球棒を置入し、前記球棒の球部を前記接合スリーブ内に位置させ、その後、前記スプリングを置入れ、前記スプリングに前記突部を抵止させ、前記球棒の球部は、内突縁間の開口から突出し、且つ、前記球棒は、長穿孔を有し、鎖接素子により、前記長穿孔を穿過して、前記置放座と接合することを特徴とする請求項２３に記載の物品フックの組み合わせ構造。
【請求項２５】
前記接合スリーブ中に孔を有することを特徴とする請求項２４に記載の物品フックの組み合わせ構造。
【請求項２６】
前記置放座は、更に、揺動素子を有し、前記球棒と前記パネル間に設置され、コの字型を呈し、鎖接素子により、前記球棒と前記揺動素子の両端を接合し、また、鎖接素子により、前記置放座のパネルを接続することを特徴とする請求項２４に記載の物品フックの組み合わせ構造。
【請求項２７】
更に、転角ジョイントを有し、前記液圧素子と前記揺動素子間に設置され、前記転角ジョイント内端に、内螺紋を有して、前記外シリンダ体の外螺紋と接続し、前記転角ジョイントの外端は、外螺紋を有して、前記接合スリーブの内螺紋と接続し、この時、前記転角ジョイントは前記スプリングを抵止することを特徴とする請求項２４に記載の物品フックの組み合わせ構造。
【請求項２８】
更に、液圧素子を有し、前記上角座と前記連接素子間に設置され、前記液圧素子の一端と前記上角座間は、鎖接素子により接続し、前記液圧素子のもう一端と前記連接素子間は、鎖接素子により接続し、且つ、前記液圧素子は伸縮可能であることを特徴とする請求項７に記載の物品フックの組み合わせ構造。
【請求項２９】
更に、液圧素子を有し、前記上角座と前記連接素子間に設置され、底盤、外スリーブ、底塞素子、シリンダ、塞スリーブ、からなり、前記底盤は、数個の周辺孔と中心孔を有し、前記外スリーブの底部は前記底塞素子を塞入し、前記底塞素子は頂面に頂槽と中心が貫通する貫通孔を有し、前記貫通孔と前記中心孔は対応し、シリンダは、外シリンダ体、塞棒、圧動素子、ピストン、塞棒カバー、リング、封口塞、エア室、膜片、を有し、全ての素子は大部分が前記外シリンダ体内に位置し、前記外シリンダ体内に、ピストンを有し、前記ピストンは塞棒に連接され、前記塞棒外は塞棒カバーを設置し、前記塞棒は前記底塞素子の貫通孔と前記底盤の中心孔を穿過した後、前記リングにより、塞棒端に設置された環凹槽を係合し、前記塞スリーブ下端は前記底塞素子の頂槽を抵止し、且つ、前記底盤は、周辺孔により、鎖接素子で、前記上角座に固定され、前記外シリンダ体の開口箇所に、封口塞を設け、塞棒カバーを穿出し、前記外シリンダ体のもう一端面は圧動素子を有し、前記封口塞により空気漏れを防止し、前記圧動素子内方の外シリンダ体にエア室を設置し、前記エア室は圧縮空気を充填し、前記圧動素子は、連棒により、前記エア室を穿過し、前記連棒の外端は、膜片を連接し、前記膜片により前記エア室を封蓋し、前記圧動素子の移動で、前記膜片が前記エア室の穿孔を離れ、気体が前記外シリンダを移動させ、前記外シリンダ体上端と前記連接素子の中間筒は連接することを特徴とする請求項７に記載の物品フックの組み合わせ構造。
【請求項３０】
更に、スリーブユニットを有し、頂筒、中筒、及び、底筒からなり、前記頂筒上端は前記外シリンダ体上に設置され、且つ、前記頂筒と前記中筒外表底端は外縁を有し、前記中筒と前記底筒内表頂端に設置される内縁を帯動することを特徴とする請求項２８、或いは、２９に記載の物品フックの組み合わせ構造。
【請求項３１】
更に、前記頂筒に上穿孔を有し、前記底筒は下穿孔を有し、前記スリーブユニットの内方の前記上穿孔と前記下穿孔間に導線を繋ぐことを特徴とする請求項３０に記載の物品フックの組み合わせ構造。
【請求項３２】
更に、上方のもう一つの連接素子を有し、前記連接素子の上方に位置し、少なくとも一つの鎖接素子により、両連接素子を連接し、上方のもう一つの連接素子は、一対の板と中間筒を有し、前記対板は、それぞれ、少なくとも一つの連接孔と中心孔を有し、前記両板の中心孔間に中間筒を固接し、前記両板の連接孔間は、鎖接素子により前記串接座の縦貫穿孔を固定し、前記中間筒は孔を有することを特徴とする請求項２８、或いは、２９に記載の物品フックの組み合わせ構造。
【請求項３３】
前記連接素子の前記対板の上板上方、或いは、下板の下方は、鎖接素子により、前記連接孔を経て、前記串接座の縦貫穿孔を固定することを特徴とする請求項３２に記載の物品フックの組み合わせ構造。
【請求項３４】
前記連接素子は、数個の鎖接素子により対応する前記対板間の連接孔を経て、それぞれ、対応する串接座の縦貫穿孔を固定することを特徴とする請求項３２に記載の物品フックの組み合わせ構造。
【請求項３５】
前記連接素子上に蓋を有することを特徴とする請求項２８、或いは、２９に記載の物品フックの組み合わせ構造。
【請求項３６】
更に、下方の連接素子を有し、前記上角座と前記液圧素子間に設置され、少なくとも一つの鎖接素子により、前記下方の連接素子を、前記上角座の連接孔に接続し、前記下方の連接素子は、一対の板と中間筒を有し、前記対板は、それぞれ、少なくとも一つの連接孔と中心孔を有し、両板の中心孔間に中間筒を固接し、両板の連接孔間は、鎖接素子により、前記串接座の縦貫穿孔に固定され、前記下方の連接素子と前記液圧素子の底盤間を接合することを特徴とする請求項２８、或いは、２９に記載の物品フックの組み合わせ構造。
【請求項３７】
更に、下方のもう一の連接素子を有し、前記下方の連接素子と前記液圧素子間に設置され、少なくとも一つの鎖接素子により両連接素子を連接し、前記下方のもう一つの連接素子は、一対の板と中間筒を有し、前記対板は、それぞれ、少なくとも一つの連接孔と中心孔を有し、両板の中心孔間は中間筒を固接し、両板の連接孔間は、鎖接素子により、前記串接座の縦貫穿孔を固定することを特徴とする請求項３６に記載の物品フックの組み合わせ構造。
【請求項３８】
更に、液圧素子を有し、前記下方の連接素子と前記下方のもう一つの連接素子間に設置されることを特徴とする請求項３７に記載の物品フックの組み合わせ構造。
【請求項３９】
更に、液圧素子を有し、前記下方の連接素子と前記下方のもう一つの連接素子間に設置され、前記液圧素子は、底盤、外スリーブ、底塞素子、シリンダ、塞スリーブ、からなり、前記底盤は、数個の周辺孔と中心孔を有し、鎖接素子により、前記底盤の周辺孔と下方のもう一つの連接素子の連接孔を接続し、前記外スリーブの底部は前記底塞素子を塞入し、前記底塞素子は頂面に頂槽と中心が貫通する貫通孔を有し、前記貫通孔と前記中心孔は対応し、シリンダは、外シリンダ体、塞棒、圧動素子、ピストン、塞棒カバー、リング、封口塞、エア室、膜片、を有し、全ての素子は大部分が前記外シリンダ体内に位置し、前記外シリンダ体内に、ピストンを有し、前記ピストンは塞棒に連接され、前記塞棒外は塞棒カバーを設置し、前記塞棒は前記底塞素子の貫通孔と前記底盤の中心孔を穿過した後、前記リングにより、塞棒端に設置された環凹槽を係合し、前記塞スリーブ下端は前記底塞素子の頂槽を抵止し、且つ、前記底盤は、周辺孔により、鎖接素子で、前記もう一つの連接素子に固定され、前記外シリンダ体の開口箇所に、封口塞を設け、塞棒カバーを穿出し、前記外シリンダ体のもう一端面は圧動素子を有し、前記封口塞により空気漏れを防止し、前記圧動素子内方の外シリンダ体にエア室を設置し、前記エア室は圧縮空気を充填し、前記圧動素子は、連棒により、前記エア室を穿過し、前記連棒の外端は、膜片を連接し、前記膜片により前記エア室を封蓋し、前記圧動素子の移動で、前記膜片が前記エア室の穿孔を離れ、気体が前記外シリンダを移動させ、前記外シリンダ体上端と下方の連接素子の中間筒は連接し、下方の連接素子の中間筒は孔を有することを特徴とする請求項３７に記載の物品フックの組み合わせ構造。
【請求項４０】
更に、少なくとも一つの外方の連接素子を有し、前記液圧素子の外スリーブに設置され、少なくとも一つの鎖接素子により両連接素子を連接し、各連接素子は、一対の板と中間筒を有し、前記対板はそれぞれ少なくとも一つの連接孔と中心孔を有し、両板の中心孔間に中間筒を固接し、両板の連接孔間は、鎖接素子により、前記串接座の縦貫穿孔を固定し、中間筒を前記液圧素子の外スリーブの外方に設置することを特徴とする請求項２８、或いは、２９に記載の物品フックの組み合わせ構造。
【請求項４１】
更に、液圧素子を有し、前記上角座と前記串接座間に設置され、前記液圧素子の一端と前記上角座間は鎖接素子により接続し、前記液圧素子のもう一端は、直接、前記串接座の縦貫穿孔間と接続することを特徴とする請求項１に記載の物品フックの組み合わせ構造。
【請求項４２】
更に、液圧素子を有し、前記上角座と前記串接座間に設置され、前記液圧素子の一端と前記上角座間は、鎖接素子により接続され、前記液圧素子のもう一端と前記串接座の縦貫穿孔間は接続し、前記液圧素子は、底盤、外スリーブ、底塞素子、シリンダ、塞スリーブ、からなり、前記底盤は、数個の周辺孔と中心孔を有し、前記外スリーブの底部は前記底塞素子を塞入し、前記底塞素子は頂面に頂槽と中心が貫通する貫通孔を有し、前記貫通孔と前記中心孔は対応し、シリンダは、外シリンダ体、塞棒、圧動素子、ピストン、塞棒カバー、リング、封口塞、エア室、膜片、を有し、全ての素子は大部分が前記外シリンダ体内に位置し、前記外シリンダ体内に、ピストンを有し、前記ピストンは塞棒に連接され、前記塞棒外は塞棒カバーを設置し、前記塞棒は前記底塞素子の貫通孔と前記底盤の中心孔を穿過した後、前記リングにより、塞棒端に設置された環凹槽を係合し、前記塞スリーブ下端は前記底塞素子の頂槽を抵止し、且つ、前記底盤は、周辺孔により、鎖接素子で、前記上角座上に固定され、前記外シリンダ体の開口箇所に、封口塞を設け、塞棒カバーを穿出し、前記外シリンダ体のもう一端面は圧動素子を有し、前記封口塞により空気漏れを防止し、前記圧動素子内方の外シリンダ体にエア室を設置し、前記エア室は圧縮空気を充填し、前記圧動素子は、連棒により、前記エア室を穿過し、前記連棒の外端は、膜片を連接し、前記膜片により前記エア室を封蓋し、前記圧動素子の移動で、前記膜片が前記エア室の穿孔を離れ、気体が前記外シリンダを移動させ、前記外シリンダ体上端と前記串接座の一端の縦貫穿孔は接続されることを特徴とする請求項１に記載の物品フックの組み合わせ構造。
【請求項４３】
更に、フレーム素子を有し、前記フレーム素子と前記上角座は結合することを特徴とする請求項１に記載の物品フックの組み合わせ構造。
【請求項４４】
前記固定素子はフレーム素子で、前記フレーム素子と前記上角座は結合し、前記フレーム素子内は物品素子を容置することを特徴とする請求項１に記載の物品フックの組み合わせ構造。
【請求項４５】
前記フレーム素子は中空で、底板と頂板、及び、四つの支柱だけを有することを特徴とする請求項４４に記載の物品フックの組み合わせ構造。
【請求項４６】
前記フレーム底下に数個のローラーを増設できることを特徴とする請求項４４に記載の物品フックの組み合わせ構造。
【請求項４７】
前記フレーム素子は、一側、或いは、両側の後方に横棒を増設することを特徴とする請求項４４に記載の物品フックの組み合わせ構造。
【請求項４８】
前記横棒は二節式、或いは、多節式で、前記横棒外端下は、ローラーを増設してもよいことを特徴とする請求項４７に記載の物品フックの組み合わせ構造。
【請求項４９】
前記フレーム素子の頂板、或いは、底板上は、少なくとも一つの上角座と下角座と接合することを特徴とする請求項４４に記載の物品フックの組み合わせ構造。
【請求項５０】
前記物品素子は、水平板、或いは、垂直板、或いは、角板、或いは、電子器材であることを特徴とする請求項１に記載の物品フックの組み合わせ構造。
【考案の詳細な説明】
【技術分野】
【０００１】
本考案は物品フックの組み合わせ構造に関し、詳細には、多面向き、多功能の組み合わせ式物品フック構造に関する。
【背景技術】
【０００２】
コンピュータは、生活や仕事において必需品であり、デスクトップコンピュータにおいては、液晶ディスプレイが主流で、ディスプレイの厚さが大幅に縮減しているが、放置位置は人によって異なり、特に、オフィス環境では、更に便利な放置空間により、使用効果を高める必要がある。そこで、伸縮式の承放構造が提供され、ランプ等により幅広く使用されていて、デスク周辺に挟掛することができる。これは、使用上便利であるが、軽巧な応用方式であるので、高単価、大面積の液晶ディスプレイと比較して、適用において更に改良の必要がある。更に、配置等の要求に符合させるために、公知の使用上の問題を解決する必要がある。
【考案の開示】
【考案が解決しようとする課題】
【０００３】
本考案は、物品フックの組み合わせ構造を提供し、デスク周辺と壁上に掛置する基本定位効用を有し、更に、上下、及び、前後に伸縮する展開作用を有し、また、同一点が数組のディスプレイフックを提供する放射状構造を有して、環状で鑑賞できるようにし、且つ、置放座は全方位の旋転定位効用を有し、使用者が、最適な角度で作業が行えるようにすることを目的とする。
【課題を解決するための手段】
【０００４】
上述の目的を達成するために、本考案の構造は、角座と、連接素子、置放座、からなり、置放座は左右回転、或いは、揺動素子により回転し、且つ、置放座は、パネルにより液晶パネル、ディスプレイ等の物品素子と接続され、連接素子は、一対の板と筒を有し、連接素子は、串接座により、滑動素子、或いは、液圧素子を経て、更に、揺動素子を経て、置放座と接続され、角座と連接素子の間に、液圧素子を設置し、連接素子の一対の板間は、放射線状に数個の串接座を設置し、全体が傘状である。
【考案の効果】
【０００５】
本考案は、多面向き、多功能の組み合わせ構造で、多くの使用者が必要に応じて応用でき、同時に、空間を節約し、応用空間を最大にして、ディスプレイを使用者の必要な状態にすることができ、機械や電子器材の使用状態に人が合わせるのではないので、使用上の大きな躍進である。ディスプレイ以外にも、ホスト、ノート型パソコン、プリンター、キーボード、マウス等のコンピュータ製品や、ゲーム機、多功能オーディオ、ラジオ、プロジェクター等のマルチメディアや、作業デスク、臨時デスク等に適用でき、幅広い応用が可能である。
【考案を実施するための最良の形態】
【０００６】
図１〜図３２は、本考案の物品フックの組み合わせ構造を提供し、図１〜図３の実施例中、本考案は、図１の最も簡単な実施において、一対の上下角座１、５と串接座４、揺動素子８、置放座３の組み合わせからなり、図２は、上角座１と串接座４間に連接素子２を加え、図３は、串接座４と揺動素子８間に、更に、滑動素子８を加えたものである。最も簡単な実施としては図２８で、上角座１、串接座４、置放座３のパネル３１、だけを有し、鎖接素子３５により、パネル３１の中心孔３３を串接座４の横貫穿孔４５の螺孔（或いは、ナット）に鎖接する。更に、図１中の揺動素子８の接合スリーブ８０は串接座４に接続されるか、或いは、更に、鎖接素子３５（ねじ、或いは、ナット）によりパネル３１を揺動素子８の球棒８６の棒部８６２の長穿孔８６３に接続する（図３１）。
【０００７】
図４で示されるように、上角座１は、第一縦板１１と第一横板１２を有し、第一縦板１１上に数個の壁接孔１３と数個の第一組接孔１５を設置し、四隅の各壁接孔１３は、それぞれ、ねじ１０（或いは、錨）により穿過して、固定素子の壁面９（図１６）に固定する効用を生成し、第一横板１２上に、周辺が同円心である数個の連接孔１４を設置し、連接孔１４は、三個、四個、或いは、六個で、且つ、第一横板１２中心に中心孔１６を設置する。
【０００８】
図４で示されるように、上下角座１、５によりなる角座ユニットの下角座５は、第二縦板５１と第二横板５２を有し、第二縦板５１上に数個の第二組接孔５３を有して、ねじ１７により、第二組接光３と上角座１の第一縦板１１上の対応する第一組接孔１５（この時は、螺孔が好ましく、ナットと組み合わせることができる）を経て、両角座１、５をコの字型に固定し、固定素子の板体９０（例えば、デスク板で、図１８を参照する）を挟持する効用を生成する。
【０００９】
下角座５上に、更に、支承素子５０を有し、支承素子５０は設置してもしなくてもよく、類似の功能を有するものを含んでもよい。下角座５は、第二横板５２上に螺孔５４を有し、支承素子５０は頂支承板５５と調整棒５７を有し、頂支承板５５中間は定位孔５６を有する。調整棒５７頂端に凹槽５７１を有し、調整棒５７の凹槽５７１と頂支承板５５の定位孔５６を嵌合させ、頂支承板５５が調整棒５７頂端で旋転できる状態を形成し、調整棒５７の周辺は外螺紋５７２で、外螺紋５７２と螺孔５４は接合して、調整棒５７が回転と上下移動が可能な状態を生成し、（図４だけ設置）調整棒５７下端は嵌槽５７３を設置し、嵌槽５７３は、鞘５８により握持棒５９の細端５９１を連接し、細端５９１と嵌槽５７２間は密接、且つ、穿孔（符号なし）を有し、鞘５８を嵌接して、曲折式の調整棒５７と握持棒５９を形成する。握持棒５９が水平状になる時、握持に便利で、調整棒５７を帯動して回転し、頂支承板５５を上下移動させ、ギャップを調整する。角座ユニットは、コの字型による使用以外に、U字型、或いは、反U字型でもよく、つまり、角座ユニットは本考案の定位素子で、定位素子と壁面９、デスク板９０等の固定素子により結合し、固定素子の上方、或いは、下方、横に定位するもので、即ち、本考案は逆に吊しても使用できる。
【００１０】
図６で示されるように、置放座３は、左右回転、或いは、全方位回転が可能であり、菱形のパネル３１は、液晶ディスプレイ等の物品９９と鎖接され（図１６）、パネル３１もL字状で垂直使用可能、或いは、箱状で、水平使用が可能である。パネル３１中間に凹陥部３２を有し、凹陥部３２中間に中心孔３３を有し、パネル３１の四隅にそれぞれ、少なくとも一つの接合孔３４を有し、接合孔３４により物品９９を連接する。置放座３は、更に、鎖接素子３５（ねじとナットの組み合わせ）と揺動素子３６を有し、鎖接素子３５によりパネル３１と揺動素子３６を接合する。パネル３１の造型は図中のものに限定されず、揺動素子３６はコの字型、或いは、U字型で、揺動素子３６は、その主体がコの字状で、両側端にそれぞれ、連接孔３７を有し、中間に中孔３８を有し、前述の鎖接素子３５は中孔３８を穿過し、パネル３１間と固定性を達成したい場合、揺動素子３６は中孔３８横の定位孔３３１間を鞘等の定位素子により嵌接し、パネル３１自身の自由回転を防止する。揺動素子３６の連接孔３７は、置放座３を１８０度、或いは、それ以上の挟角で回転させる（図１９、図２０で示される）。この他、更に簡単な実施において、揺動素子３６を設置せず、鎖接素子３５（ねじとナットの組み合わせ）により、直接、パネル３１を揺動素子８の接合スリーブ８０上に固定してもよく（図３０）、直接、パネル３１を串接座４上に固定してもよく（図２８中、鎖接素子３５（ねじ）により直接、串接座４が設ける螺孔（横貫穿孔４５）に鎖入してもよい）、組み合わせの変化が可能である。
【００１１】
図５で示されるように、連接素子５は、一対の板２１、２２と中間筒２７を有し、連接素子２は、少なくとも一つの串接座４により、置放座３と接続され（図２３）、連接素子２の下板２１と上板２２は皆、円板で、美観と使用の便利性のため、下板２１と上板２２は、それぞれ、下連接孔２３、下中心孔２５と上連接孔２４、上中心孔２６を設置し、連接孔２４は上下対称設置で、図中は、六個表示されているが、この限りではない。両板２１、２２の中心孔２５、２６間は、中間筒２７により接続され、溶接、或いは、螺接で、中間筒２７内に、内螺紋２８を有しても有さなくてもよい。
【００１２】
図６、図７で示されるように、串接座４内端は、一対の板２１、２２により挟着され、且つ、角座１、５（図２）に連接される。串接座４は本体４１を有し、本体４１は縦貫穿孔４２を有する。鎖接素子４０（ねじとナットの組み合わせ、或いは、フックの組み合わせ）により、本体４１を連接素子２の板２１、２２間に定位させ、図１で示されるように、本体４１を鎖接素子４０を直接上角座１の連接孔１４に定位させてもよい。且つ、本体４１のもう一端面に突部４３を有し、突部４３は柱状で、外螺紋４４を有し、本体４１内に横貫穿孔４５、或いは、角状の槽孔４６を設置し、これは、図１６、図１８で示されるように、導線６０を穿過させる設計のためである。
【００１３】
串接座４は、本考案中、転接の効用を有し、直接、置放座３を繋ぐ（図２８）か、揺動素子８（図２３）、或いは、滑動素子６（図８、図９）、或いは、液圧素子７（図１７）を繋ぐことができる。
【００１４】
この他、図２９で示されるように、角座ユニット１，５上に、液圧素子７を加設した後、直接、串接座４により、本体４１の縦貫穿孔４２を、シリンダ７４の外シリンダ体７４１上の上端に係入され、ほぼ、外螺紋７４１１の箇所で、縦貫穿孔４２に内螺紋を設けて（図示しない）、螺接状にしても、或いは、ナット（図示しない）により外螺紋７４１１上端に接合してもよい。導線６０は、線孔４７から穿出し、横貫穿孔４５から穿入し、もう一つは、串接座４を利用した使用状態でもよい。
【００１５】
上角座１と連接素子２の間に、液圧素子７（図１０）を設置でき、後述の気圧式シリンダ７４と相同でも不同でもよい。液圧素子７は、気圧、或いは、油圧式、或いは、類似功能のものである。
【００１６】
図１０〜図１３で示される液圧素子７の構造は、上角座１に設置されているがこの限りではない。上角座１上に連接素子２を接続し、更に、液圧素子７を連接素子２上に設置してもよい（図２５で示される）。
【００１７】
図２６を参照すると、一つ以上の連接素子２を、中間筒２７に箇所で、直接、液圧素子７の外スリーブ７２に係入することができ、図中では六個をシリンダ７４外に連設し、シリンダ７４に伴って移動する。自由枢転式の横接構造を形成してもよく、つまり最上方の連接素子２とシリンダ７４の外シリンダ体７４１頂端間が枢接で、両連接素子２間は鎖接素子２０により結合され、係入される連接素子２と底盤７１、上角座１間は、それぞれ、鎖接素子２０（ねじとナット）により接続される。
【００１８】
図２７で示されるように、連接素子２の中間筒２７は、孔２７１を開設し（図１７の孔８４に類似）、指を穿入することができ、後述の圧動素子７４３を押圧し、シリンダ７４が上方の三組の連接素子２を帯動して上移させ、外スリーブ７２外に設置される四組の連接素子２は、上移しない。連接素子２の上板２２は、圧動素子７４３と水平でなくても、連接素子２の中間筒２７が孔２７１を有して、指により操作できればよい。
【００１９】
液圧素子７は、底盤７１、外スリーブ７２、底塞素子７３、シリンダ７４、塞スリーブ７５、スリーブユニット７６、からなり、底盤７１は、数個の周辺孔７１１と中心孔７１２を有する。外スリーブ７２の底部は底塞素子７３を塞入し、底塞素子７３は頂面に頂槽７３１と中心が貫通する貫通孔７３２を有し、貫通孔７３２と中心孔７１２は対応している。シリンダ７４の構造は後述の形態に限定されない。
【００２０】
シリンダ７４は外シリンダ体７４１、塞棒７４２、圧動素子７４３、ピストン７４４、塞棒カバー７４５、リング７４６、封口塞７４７、エア室７４８、膜片７４９、を有し、全ての素子は大部分が外シリンダ体７４１内に位置し、外シリンダ体７４１内に、ピストン７４４を有し、ピストン７４４は塞棒７４２に連接され、塞棒７４２外は塞棒カバー７４５を設置し、塞棒７４２は底塞素子７３の貫通孔７３２と底盤７１の中心孔７１２を穿過した後、リング７４６により、塞棒７４２端に設置された環凹槽７４２１を係合し（鎖接結合でもよい）、塞棒７４２の外端は完全に固定されて移動しない。シリンダ７４の移動は、外シリンダ体７４１によりシフトを生成し、塞棒７４２外の塞棒カバー７４５下端により、底塞素子７３の頂槽７４２を抵止して、定位の効用を達成し、外シリンダ体７４１の上下移動が可能である。
【００２１】
且つ、底盤７１は、周辺孔７１１で、鎖接素子７０（ねじ）により上角座１上に固定し（図１６）、外シリンダ体７４１の開口箇所に、封口塞７４７を設け、塞棒７４２の塞棒カバー７４５を穿出し、外シリンダ体７４１のもう一端外表は、外螺紋７４１１を設け、外シリンダ体７４１のもう一端面は圧動素子７４３を有し、封口塞７４７横の止漏環により空気漏れを防止する（図示されない）。圧動素子７４３内方の外シリンダ体７４１にエア室７４８を設置し、図１２中のエア室７４８は圧力筒を形成し、エア室７４８は、上蓋素子７４８１と下蓋素子７４８２により外シリンダ体７４１に固定され、エア室７４８内は圧縮気体を充填し、圧動素子７４３は、連棒７４３１によりエア室７４８の両蓋素子７４８１、７４８２の穿孔を穿過し（連棒は各蓋素子７４８１、７４８２を穿過することを指し、符号で示されない）、上方の上蓋素子７４８１の穿孔は、止漏環７４３２を有して、空気漏れを防止する。下方の下蓋素子７４８１の穿孔は止漏環を有さないが、連棒７４３１の外端は膜片７４９を連接し、膜片７４９により下蓋素子７４８２の穿孔を封閉し、気体がエア室７４８から漏れないようにし、圧動素子７４３が押圧されて移動する時だけ、気体が外シリンダ体７４１内に下に移動するようにし、ピストン７４４が制限を受けるので、外シリンダ体７４１が上に移動し、図１３は移動後の状態を示し、気体の圧力放出後、膜片７４９の封口を受け、戻ることができず、この力は、外シリンダ体７４１の移動を引動し、且つ、気圧の力により、外シリンダ体７４１が連結する各素子を支承し、高い承力性を有する。
【００２２】
外シリンダ体７４１は移動が必要なので、外スリーブ７２の上端内表と外シリンダ体７４１の外表間に塞スリーブ７５を設置し、外シリンダ体７４を往復移動させて、外スリーブ７２と外シリンダ体７４１間の摩擦を減少させ、塞スリーブ７５は突縁７５１を有して、外スリーブ７２外に結合される。シリンダ７４を復元させる時、その中の圧力を開放する必要があり、更に、圧動素子７４３を押圧して、膜片７４９を開放し、同時に、外シリンダ体７４１を下圧し、空気をエア室７４８に戻し、図１３から図１２の状態に回復する。
【００２３】
図１１で示されるように、液圧素子７外にスリーブユニット７６を増設し、頂筒７６１、中筒７６２、及び、底筒７６３からなり、頂筒７６１上端は外シリンダ体７４１上に設置されて、外シリンダ体７４１に伴って上下移動し、且つ、頂筒７６１と中筒７６３外表底端は外縁７６４、７６５を有し、中筒７６２と底筒７６３内表頂端に設置される内縁７６６、７６７を帯動し、その外観状態が図１４と図１５で示される。
【００２４】
頂筒７６１頂面に上穿孔７６８を設置し、底筒７６３は数個の下穿孔７６９を設置し、下穿孔７６９内の上穿孔７６８間のスリーブユニット７６の内方空間に導線６０（信号線と電源線を含む）を穿過し、導線６０を串接座４の角状槽孔４６に穿入するが、この角状槽孔４６は導線６０隠蔽が悪く、後方の横貫穿孔４５は最適な導線６０隠蔽作用を有し、隠蔽式電線構造をなしていることが、本考案の特色の一つである。この時、図５と図１６、図１８で示されるように、連接素子２の下板２１は数個の線孔２１１を有して、導線６０を穿過し、串接座４の横貫穿孔４５も導線６０を穿過し、導線６０を置放座３まで引いて使用する。
【００２５】
図１７で示されるように、串接座４と置放座３間に横式の液圧素子７を設置し、前段で記述した液圧素子７は縦式である。
【００２６】
ここでの液圧素子７は、シリンダ７４の外螺紋７４１１により、揺動素子８の接合スリーブ８１の内螺紋８３と相接し、外スリーブ７２は、内螺紋７２１がまず底盤７１周辺に設けられた外螺紋４４と連接した後、内螺紋７２１は更に、串接座４の本体４１の突部４３の外螺紋４４と接続し、串接座４は、更に、鎖接素子４０により、縦貫穿孔４２と連接素子２の下板２１、上板２２の下連接孔２３、上連接孔２４を接続し、この時、中間筒２７内は内螺紋２８の設置が不要で、液圧素子７と連接素子２を接続できればよい。図１７の移動後が、図１８の左側上方で示される。
【００２７】
図２０で示されるように、連接素子２上方に蓋２９を設け、半球状の蓋２９（図１２）により液圧素子７の圧動素子７４３の突出箇所を覆い、使用上の安全を確保する。
【００２８】
図２２で示されるように、連接素子２の一対の板２１、２２間は、放射状で串接座４に設置され、全体が傘状になる。
【００２９】
図６で示されるように、串接座４は滑動素子６を連接するが、滑動素子の組み合わせは後述のものに限定されず、滑動素子６が外管６１、外塞素子６２、内管６３、内塞素子６４、を有し、これは、二節手動式の滑動素子で、外管６１の一端は内螺紋６１１を有し、串接座４の外螺紋４４に鎖接され、滑動素子６と串接座４の組接を完成する。外管６１内に内管６３を有し、外管６１のもう一端に外塞素子６２を有し、外塞素子６２は、内管６３の滑動を承受し、外塞素子６２は、外突縁６２１により、外管６１の外端面に接続され、内管６３の一端は内螺紋６３１を有し、内管６３のもう一端は外螺紋６３２を有し、内塞素子６４の外螺紋６４１を、内管６３の内螺紋６３１に螺接し、内塞素子６４は、内管６３の滑動を承受する。これにより、手動式の横向け移動を形成し、移動前は図８で示され、移動後は図１８の右側で示される。
【００３０】
滑動素子６も三節式にでき、図９で示されるように、内管６３内に第二内管６５を加設し、前述のように、内管６３の外端は第二外塞素子６６を接続し、第二外塞素子６６は外突縁６１１により内管６３端面に接続され、第二内管６５の一端は内螺紋６５１を有し、第二内管６５のもう一端は外螺紋６５２を有し、第二内塞素子６７の外螺紋６７１を、第二内管６５の内螺紋６５１に螺接し、第二内塞素子６６は、第二内管６５の滑動を承受する。これにより、三節手動式の横向け移動を形成し、移動後は図１８の左側下方で示される。
【００３１】
図６で示されるように、揺動素子８は、直接串接座４の突部４３に接続する（図７、図２３）か、或いは、滑動素子６の内管６３の外端に接続するか（図８）、或いは、第二内管６５の外端に接続（図９）、或いは、液圧素子７の外螺紋７４１１に接続する（図１７）ことができる。
【００３２】
揺動素子８は、接合スリーブ８１とスプリング８０、球棒８６、を有し、接合スリーブ８１は、内突縁８２と内螺紋８３を有し、内螺紋８３を内管６３の外螺紋６３２に接続するか（図８）、或いは、第二内管６５の外螺紋６５２に接続し（図９）、液圧素子７に応用するとき（図１７）、指で圧動素子７４３が押せるようにし、接合スリーブ８１は、必要であれば、孔８４を有する。
【００３３】
接合スリーブ８１を鎖接する前に、球棒８６を置入し、球棒８６の球部８６１を接合スリーブ８１内に位置させ、その後、スプリング８０を置入れ、スプリング８０に内管６３（第二内管６５）の外端を抵止させ、球棒８６の球部８６２は、内突縁８２間の開口から突出し、内突縁８２は球部８６１の移出を制限し、且つ、球棒８６が一定角度の領域で枢転できるようにし、図２１中で示されるように、上下左右各２２度の空間で、上下左右に揺動と回転が可能で、揺動素子８はユニバーサルジョイントに類似したものである。
【００３４】
球棒８６は長穿孔８６３を有し、導線６０を穿過し、前述の滑動素子６の内管６３（第二内管６５）は中空であるので、導線６０は曲折、或いは、螺旋置入でき、串接座４の横貫穿孔４５（或いは、角状槽孔４６）から引入し、導線６０により隠蔵され、図１６と図１８で示される導線６０は使用前後の状態を示す。
【００３５】
且つ、球棒８６は短穿孔８６４を有し、鎖接素子３０（ねじとナット）を穿過し、鎖接素子３０により、球棒８６と揺動素子３６を接合して、揺動素子８と置放座３間の組接を完成させる。
【００３６】
但し、図２３の揺動素子８を直接串接座４と組み合わせる時、例えば環状の中間固定ブロック８７により、外螺紋８７１で、接合スリーブ８１の内螺紋８２に鎖接する必要がある。
【００３７】
図１７で、液圧素子７のシリンダ７４の外螺紋７４１１の螺接時、中間固定ブロック８７により、球棒８６とスプリング８０を定位する必要があり、液圧素子７の底盤７１は、この時、外螺紋７１３で、外スリーブ７２の内螺紋７２１と相接して、外スリーブ７２が内螺紋７２１により串接座４の外螺紋４４に鎖接される。
【００３８】
この他、図２４で示されるように、揺動素子８は、前述のような水平横接状ではなく、垂直状で串接座４等と接合され、この時、転角ジョイント８８が必要で、転角ジョイント８８一端に、内螺紋８８１を有して、串接座４の外螺紋４４と接続し、転角ジョイント８８のもう一端は、外螺紋８８２を有して、接合スリーブ８１の内螺紋８２と接続し、この時、中間固定ブロック８７を設置しても設置しなくてもよく、転角ジョイント８８中にチャンネル８８３を設けて導線６０を通す。
【００３９】
前述のように、揺動素子８は、垂直、或いは、水平に置放座３を承接する形態を形成し、主に、水平状は物品素子９９をパネル３１に連接し、この物品９９は電子器材のコンピュータホスト、ノート型パソコン、プリンター、キーボード、マウス等のコンピュータ製品、或いは、ゲーム機、多功能オーディオ、ラジオ、プロジェクタ等のマルチメディア、或いは、作業デスク、臨時デスク等である。
【００４０】
角座をフレーム素子に設置することも、或いは、直接、液圧素子の底盤によりフレーム素子と組み合わせることもでき、図３２で示されるように、本考案の図１５で示される液圧素子７、滑動素子６、連接素子２、更に、角座１、５、串接座４と置放座３の組み合わせを、フレーム素子９１（固定素子）上に応用し、フレーム素子９１は充分な幅と高度を有して、デスクトップコンピュータのホストや類似の物品を容置する。フレーム素子９１は中空で、底板９２と頂板９３、及び、四つの支柱からなり、底板９２下に、数個のローラー９５を増設して移動が便利である。また、一側、或いは、両側後方に設けられた少なくとも一つの横棒９４が倒れないように、横棒９４は二節式、或いは、多節式で、横棒９５外端下は、ローラー９５を増設してもよい。図中の底板９２と頂板９３後側に、それぞれ、一組の本考案の支承式構造を定位し、角座ユニット１、５を利用して挟固する。但し、下側は、滑動素子６端で転角ジョイント８８により、水平式の置放座３を接続し、且つ、パネル３１上に水平板９７（物品素子）を連設し、水平板９７は作業板、或いは、コンピュータキーボード放置板、或いは、マウス、或いは、ノート型パソコンの放置板となり、本考案全体を、作業、読書、インターネット、コンピュータ操作の作業台の素子に変化させる。頂板９２が固定する本考案は左側パネル３１に垂直板９６（物品素子）を連設し、垂直板９６はディスプレイを固定し、テレビ棚、或いは、液晶ディスプレイ棚となり、また、直接、図１４の模式を使用してもよい。頂板９２が固定する本考案は右側パネル３１に角板９８（物品素子）を連設し、プリンター、或いは、複合機等の物品の置放空間となり、本考案の変化に富む実施状態を呈現し、よって、実施空間を大幅に展開させ、更に遠近上下調整の便利性を有し、使用の高低、習慣により調整を加えることができ、現有の作業デスク形態と異なる。
【００４１】
上述のような構造により、本考案はモジュール化の効用を運用して、図１、図２の簡単型、図３、図１４の長短使用形式、更に、図１５、図１６の標準使用形式、図１８、図２２の拡大多層式多様式使用形態、図２３の水平型、図２４の垂直型、横式素子が滑動素子を有する形式、或いは、液圧素子７を有する形式、導線６０を内含する形式、連接素子２を有する形式（図２）、或いは、連接素子２を含まない形式（図１）、があり、且つ、図２５、６の連接素子２は、数個のスタックの組み合わせを生成でき、連接素子ともう一つの連接素子は、図３、図４、図５の連接素子と組み合わせてなる。連接素子は周辺の連接孔２３、２４を有するので、鎖接素子２０によえい上下組接してなるか、或いは、同時に、二個の連接素子２を液圧素子７の頂端、或いは、底端に接続し、液圧素子７の頂端の連接素子２は、上方の連接素子、或いは、もう一つの連接素子で、液圧素子７の底端の連接素子２は、下方の連接素子、或いは、下方のもう一つの連接素子である。図２５中は、上下それぞれ二個の連接素子２で、液圧素子７下方の連接素子２下に、もう一つの液圧素子７を増設してもよく、もう一つの液圧素子７下方は上角座１、或いは、もう一つの連接素子２、或いは、図２６は、二個以上の連接素子２をスタックしてなり、更に、液圧素子７外に、更に、スリーブユニット７６を含有する形態で（図１４）、角座ユニット１、５は壁接型、デスク接続型、或いは、逆吊型を形成でき、よって、全体の変化が多く、大きな効用を生成するので、本考案全体は、優れた使用性と変化性と組接性を提供し、公知のものと完全に異なる機構である。
【図面の簡単な説明】
【００４２】
【図１】本考案の実施立体図である。
【図２】本考案の連接素子を加えた実施立体図である。
【図３】本考案の連接素子と滑動素子を加えた実施立体図である。
【図４】本考案の上下角座の立体分解図である。
【図５】本考案の連接素子の立体分解図である。
【図６】本考案の串接座、滑動素子、揺動素子、置放座の立体分解図である。
【図７】本考案の連接素子、串接座、揺動素子の立体分解図である。
【図８】本考案の図６の置放座を含まない未伸展前の断面図である。
【図９】本考案の三節の滑動素子の未伸展前の断面図である。
【図１０】本考案の液圧素子の立体分解図である。
【図１１】本考案のスリーブの立体分解図である。
【図１２】本考案の図１０の組み合わせの未伸展前の断面図である。
【図１３】本考案の図１０の組み合わせの既に伸展後の断面図である。
【図１４】本考案の図２の加圧素子とスリーブユニットの立体図である。
【図１５】本考案の図３の加圧素子とスリーブユニットの立体図である。
【図１６】本考案の図１５の導線を含む断面図である。
【図１７】本考案の連接素子、串接座を液圧素子と揺動素子に加えた組み合わせの断面図である。
【図１８】本考案の図８、図９、図１７の伸展後の断面図である。（同時に、二節滑動素子が導線とスリーブユニットを含む展開状を表示し、連接素子が上下に三つの串接座を連接できることを表示する）
【図１９】本考案の滑動素子端の揺動素子と置放座の下向け移動の立体図である。
【図２０】本考案の滑動素子端の揺動素子と置放座の上向け移動の立体図である。
【図２１】本考案の一部の滑動素子端の揺動素子の上下移動の断面図である。
【図２２】本考案の連接素子で水平に三組の串接座と滑動素子、揺動素子、置放座を組接する実施立体図である。
【図２３】本考案の串接座の揺動素子を接続した断面図である。
【図２４】本考案の串接座の転角ジョイントにより揺動素子を接続した断面図である。
【図２５】本考案の液圧素子で上下にそれぞれ一対の連接素子を接続した時と串接座、揺動素子の接続時の立体部分分解図である。
【図２６】本考案の六個の連接素子を液圧素子に串接した時の断面図である。
【図２７】本考案の七個の連接素子を液圧素子に串接した時の断面図である。
【図２８】本考案の図１の下角座がなく、且つ、串接座と置放座だけを組み合わせた時の断面図である。
【図２９】本考案の図１８中の連接座がなく、直接、串接座と液圧素子を組み合わせた時の断面図である。
【図３０】本考案の図２８中の置放座のパネルが直接、揺動素子と組接された断面図である。
【図３１】本考案の図２８中の置放座のパネルが直接、揺動素子の球棒と組接された断面図である。
【図３２】本考案のコンピュータホストに応用した実施立体図である。
【符号の説明】
【００４３】
1    上角座      10   ねじ        11   第一縱板
12   第一横板    13   壁接孔      14   連接孔
15   第一組接孔  16   中間孔      17   ねじ
5    下角座      51   第二縱板    52   第二横板    53   第二組接孔  54   螺孔        
591  細端
50   支承素子      55   頂支承板      56   定位孔
57   調整棒      571  凹槽       
572  外螺紋
573  嵌槽       
58   鞘          59   握持棒
2    連接素子      21   下板        211  線孔
22   上板       
23   下連接孔    24   上連接孔    25   下中心孔    26   上中心孔   
27   中間筒      271  孔          28   内螺紋      29   蓋     20   鎖接素子
3    置放座      30   鎖接素子      331  定位孔
31   パネル        32   凹陷部      33   中心孔
34   接合孔      35   鎖接素子      36   揺動素子
37   連接孔      38   中孔       
39   側孔
4    串接座      40   鎖接素子      47   線孔
41  本体        42   縱貫穿孔    43   突部
44   外螺紋      45   横貫穿孔    46   角状槽孔
6    滑動素子      61   外管        611 内螺紋
62   外塞素子      621  外突縁      63   内管      631  内螺蚊      632  外螺紋      
64   内塞素子    641  外螺紋      60   導線       
65   第二内管
651  内螺紋      652  外螺紋      66   第二外塞素子     661  外突縁      
67   第二内塞素子  671  外螺紋
8    搖動素子      80   スプリング
81   接合スリーブ    82  
内突縁      83    内螺紋
84   孔          86   球棒        861   球部       
862  棒部       
863  長穿孔      864   短穿孔
87   中間固定ブロック  871  外螺紋      88    転角ジョイント
881  内螺紋      882  外螺紋      883   チャンネル
7    液圧素子      70   鎖接素子      71    底盤
711  周辺孔      712  中心孔      713   外螺紋
72   外スリーブ      721  内螺紋
73   底塞素子      731  頂槽       
732   貫通孔
74   シリンダ        741  外シリンダ体     7411 
外螺紋    
742  塞棒      7421  環凹槽     744   ピストン
743  圧動素子      7431  連棒      
7432  止漏環
745  塞棒カバー    746  
リング      
747   封口塞
748  エア室        7481  上蓋素子     7482 
下蓋素子
749  膜片        75    塞スリーブ       751   突縁
76   塞スリーブ      761   頂筒     762   中筒
763  底筒      764   外縁       765   内縁
766  内縁        767   内縁      
768   上穿孔
769  下穿孔      99    物品素子
9    壁面（固定素子）      90    板体（固定素子）
91   フレーム素子（固定素子）
92   底板        93    頂板       94    横棒
95   ローラー        96    垂直板（物品素子）
97   水平板（物品素子）    98   角板（物品素子）
【図１】
0003128010.tif 000003
【図２】
0003128010.tif 000004
【図３】
0003128010.tif 000005
【図４】
0003128010.tif 000006
【図５】
0003128010.tif 000007
【図６】
0003128010.tif 000008
【図７】
0003128010.tif 000009
【図８】
0003128010.tif 000010
【図９】
0003128010.tif 000011
【図１０】
0003128010.tif 000012
【図１１】
0003128010.tif 000013
【図１２】
0003128010.tif 000014
【図１３】
0003128010.tif 000015
【図１４】
0003128010.tif 000016
【図１５】
0003128010.tif 000017
【図１６】
0003128010.tif 000018
【図１７】
0003128010.tif 000019
【図１８】
0003128010.tif 000020
【図１９】
0003128010.tif 000021
【図２０】
0003128010.tif 000022
【図２１】
0003128010.tif 000023
【図２２】
0003128010.tif 000024
【図２３】
0003128010.tif 000025
【図２４】
0003128010.tif 000026
【図２５】
0003128010.tif 000027
【図２６】
0003128010.tif 000028
【図２７】
0003128010.tif 000029
【図２８】
0003128010.tif 000030
【図２９】
0003128010.tif 000031
【図３０】
0003128010.tif 000032
【図３１】
0003128010.tif 000033
【図３２】
0003128010.tif 000034